(57)【要約】      （修正有）【課題】粉砕室、抽出バスケットを洗浄するのは面倒な欠点を克服するホールビーンのコーヒー豆用の粉砕・抽出手段を提供する。【解決手段】ホールビーンのコーヒー豆を収容し、あらかじめパッケージングされシールされた容器は、コーヒー一杯分、あるいは複数杯分に相当する大きさとされている。容器は、ホールビーンの豆を粉砕するために、選択的に、粉砕ブレードを当該容器内に向かって下降させる機械で使用される。挽きたての豆を、その同じ容器内に保持したまま、熱湯を容器内に注入する。淹れたてのコーヒーができると、フィルターを通過後、容器の底部の一ないし複数の開口から滴下する。容器は、保管や運送のため、プラスチックやフォイル等の気密性の膜またはカバーでシールされる。【選択図】なし【特許請求の範囲】
【請求項１】
ディスポーザブルで、あらかじめパッケージングされたホールビーンコーヒーフィルターパケットであって、
ホールビーンコーヒー豆を収容してシールされた容器を含む
ことを特徴とするパケット。
【請求項２】
前記容器の大きさと、当該容器内に収容されるコーヒー豆の量とが、コーヒー一杯分に相当すること
を特徴とする請求項１に記載のパケット。
【請求項３】
前記容器の大きさと、当該容器内に収容されるコーヒー豆の量とが、コーヒー複数杯分に相当すること
を特徴とする請求項１に記載のパケット。
【請求項４】
前記容器が、当該容器内に収容されるコーヒー豆を粉砕するためのコーヒー粉砕ブレードが貫通するよう適合させた上面を備える
ことを特徴とする請求項１に記載のパケット。
【請求項５】
前記容器が、その底部に少なくとも一つの開口を備え、そこから、当該容器内に熱湯を注入した後、できたコーヒーが、滴下可能とされている
ことを特徴とする請求項１に記載のパケット。
【請求項６】
前記容器は、気密性の膜であらかじめシールされている
ことを特徴とする請求項１に記載のパケット。
【発明の詳細な説明】
【技術分野】
【０００１】
［関連出願の相互参照］
この出願は、合衆国仮出願第６１／２４４３０４号に関連し、かつその出願に基づいて優先権を主張するものである。
【０００２】
［発明の背景］
本発明は、電気器具に関し、より詳しくは、電動コーヒーメーカーに関する。
【０００３】
［関連技術の説明］
電動コーヒーメーカーには様々なデザインがある。ドリップ式コーヒーメーカーは、粉砕したコーヒー豆とフィルターとを保持する抽出バスケットを利用するものであり、熱湯をバスケットに注ぐと、淹れたてのコーヒーが重力で抽出バスケットから滴下する。公知のコーヒーメーカーには、ホールビーンのコーヒー豆を粉砕室に入れて粉砕する加工を行うミル機能を有するものがある。粉砕した後で、粉砕したコーヒー豆を抽出バスケットに移し、ドリップ方式の処理が行われる。
【０００４】
粉砕室とブレードは、コーヒー豆に由来する残りかすや油をきれいに洗浄するのが望ましい。また、抽出バスケットもきれいに洗浄するのが望ましい。どちらも、きれいに洗浄するのは面倒で難しい。
【発明の概要】
【発明が解決しようとする課題】
【０００５】
［本発明の目的］
本発明は、前記の欠点を克服するホールビーンのコーヒー豆用の粉砕・抽出手段を提供することを目的とする。
【０００６】
これらおよび他の目的が、ここに開示する本発明により達成される。
【発明を実施するための形態】
【０００７】
［本発明の好ましい実施形態の説明］
本発明は、ホールビーンのコーヒー豆を収容し、あらかじめパッケージングされシールされた容器の使用を含む。豆の量および容器の大きさは、コーヒー一杯分、あるいは複数杯分に相当するものとすることができる。容器は、ホールビーンの豆を挽くために選択的に当該容器内に粉砕ブレードを導入する機械で用いられるよう設計されている。ブレードが容器内に下降していくのでもよく、容器が上昇していってブレードに係合するのでもよく、また、その両方が起こるものであってもよい。挽きたての豆をそのまま同じ容器内に保持した状態で、熱湯を容器内に注入する。淹れたてのコーヒーができると、フィルターを通過後、容器の底の一ないし複数の開口から滴下する。容器は、保管や運送のため、プラスチックやフォイル等の気密性の膜またはカバーでシールされる。シールは、粉砕および抽出を行う前に、使用者により除去される。
【０００８】
適度な粉砕を確実に行えるよう、粉砕処理のタイミングを、自動的にあるいは手動で調整するものとしてもよい。湯の注入量は、使用者の手動の入力によるものとすることができるが、自動制御や、弁により管理することもできる。
【０００９】
使用後、容器は取り外して廃棄されるので、公知の粉砕・抽出機械に付随する洗浄の必要がない。
【００１０】
以上、本発明の好ましい実施形態を開示したが、添付の特許請求の範囲に記載した発明の範囲を逸脱することなく、様々な変更が可能であると理解される。
【外国語明細書】
DISPOSABLE WHOLE BEAN COFFEE FILTER
CROSS-REFERENCE TO RELATED APPLICATIONS
This application relates to and claims priority from United States Provisional Application 61/244304.
【技術分野】
BACKGROUND OF THE INVENTION
The present invention relates to electric appliances and, more particularly, to electric coffee makers.
Description of Related Art
Various design exist for electric coffee makers. Drip-style coffee makers utilize a brew basket that holds coffee grounds and a filter, and heated water is delivered into the basket and, under the force of gravity, brewed coffee drips out of the brew basket. Certain known coffee makers include a grinding feature in which hole coffee beans are placed into a grinding chamber and a grinding operation is carried out. After grinding, the grounds are transferred to a brew basket and the drip-style operation is carried out.  It is desirable to clean grinding chambers and blades of debris and oils from the coffee beans. It is desirable to clean the brew basket also. Both can be inconvenient or difficult to clean.
【発明の概要】
【発明が解決しようとする課題】
OBJECT OF THE PRESENT INVENTION
It is an object of the present invention to provide a grinding and brewing means for whole bean coffee that overcomes the shortcomings described above.  These and other objects are achieved by the present invention disclosed herein.
【発明を実施するための形態】
DESCRIPTION OF THE PREFERRED EMBODIMENT OF THE
PRESENT INVENTION
The present invention comprises use of a pre-packaged, sealed container enclosing whole coffee beans. The quantity of beans and the size of the container may correspond to a single serving of coffee, or multiple servings. The container is designed to be used with a machine that selectively introduces a grinding blade into the container for grinding the whole beans. The blade may be lowered into the container, the container may be raised into engagement with the blade, or a combination of both may occur. The freshly made grounds remain in the same container and heated water is introduced into the container. Freshly brewed coffee is produced and drips out of one or more openings in the bottom of the container after passing through the filter. The container is sealed for
storage and shipping with an airtight membrane or cover such as plastic, foil etc.  The seal is removed by the user before grinding and brewing.  Grinding operations may be automatically or manually timed to ensure adequate grinding. Water portions can be dependent upon user's manual input or managed by automatic controls and valves. After use, the container is removed and discarded, eliminating the need for cleanup associated with known grinding and brewing machines. While the preferred embodiment of the present invention has been disclosed herein, it is understood that various modification can be made without departing from the scope of the presently claimed invention.
Claims
WHAT IS CLAIMED IS :
1. A disposable, pre-packaged, whole-bean coffee filter packet, said packet 
comprising
a sealed container enclosing whole coffee beans.
2. A packet according to Claim 1, wherein
said container size and the quantity of coffee beans contained therein
corresponds to a single serving of coffee.
3. A packet according to Claim 1, wherein
said container size and the quantity of coffee beans contained therein
corresponds to a plurality of servings of coffee.
4. A packet according to Claim 1, wherein
said container has a top surface that is adapted to be penetrated by a
coffee grinding blade for grinding the coffee beans contained therein.
5. A packet according to Claim 1, wherein
said container is provided with at least one opening on its bottom to
enable brewed coffee to drip thereform after heated water is introduced into said container.
6. A packet according to Claim 1, wherein
said container is pre-sealed in an airtight membrane.
ABSTRACT
A pre-packaged, sealed container enclosing whole coffee beans is sized to correspond to a single serving of coffee, or multiple servings. The container is used with a machine that selectively lowers a grinding blade into the container for grinding the whole beans. The freshly made grounds remain in the same container and heated water is introduced into the container. Freshly brewed coffee is produced and drips out of one or more openings in the bottom of the container after passing through the filter. The container is sealed for storage and shipping with an airtight membrane or cover such as plastic, foil etc.